(57)【要約】【課題】画像処理装置とＦＡＸサーバとの間に中間サーバを介在させた場合にも、送信結果やアドレス帳データなどをＦＡＸサーバから画像処理装置へ提供できる画像送信システムを提供する。【解決手段】画像処理装置１０から所望の送信先へ画像データを送信するときは画像ファイル５１と宛先情報を含む属性ファイル５２とを第１のサーバ３０に送信して記憶させ（Ｐ１）、第２のサーバ４０は第１のサーバからこれらのファイル５１、５２を取得し（Ｐ２）、該当の送信先へファクシミリ送信する（Ｐ３）。第２のサーバは、送信結果を示す履歴ファイル５３を作成して第１のサーバに送信して記憶させ（Ｐ５）、画像処理装置は履歴ファイルを第１のサーバから情報を取得する（Ｐ６）。同様にアドレス帳データについてもＰ５、Ｐ６のルートで第２のサーバから画像処理装置へ提供される。【選択図】図１
2007312335.tif 000002
【特許請求の範囲】
【請求項１】
画像処理装置と、第１のサーバと、第２のサーバとを備え、前記画像処理装置から所望の送信先へ画像データを送信する際に、前記画像データを含む画像ファイルと前記送信先のアドレス情報を含む属性ファイルとを前記第１のサーバに送信し、前記第１のサーバは前記画像処理装置から送信されてきた前記画像ファイルと前記属性ファイルとを記憶し、前記第２のサーバは、前記第１のサーバに記憶されている前記画像ファイルと前記属性ファイルとを取得し、前記属性ファイルに含まれる前記アドレス情報が示す送信先に対して前記画像データを送信するように構成された画像送信システムにおいて、
前記第２のサーバは、前記画像データの送信に関する情報を作成する作成手段と、前記作成手段が作成した前記送信に関する情報を前記第１のサーバに送信する送信手段とを有し、
前記第１のサーバは、前記送信手段から送信されてきた前記送信に関する情報を記憶する記憶手段を有し、
前記画像処理装置は、前記第１のサーバの前記記憶手段に記憶されている前記送信に関する情報を入手する入手手段を有する
ことを特徴とする画像送信システム。
【請求項２】
画像処理装置と、第１のサーバと、第２のサーバとを備え、前記画像処理装置から所望の送信先へ画像データを送信する際に、前記画像データを含む画像ファイルと前記送信先のアドレス情報を含む属性ファイルとを前記第１のサーバに送信し、前記第１のサーバは前記画像処理装置から送信されてきた前記画像ファイルと前記属性ファイルとを記憶し、前記第２のサーバは、前記第１のサーバに記憶されている前記画像ファイルと前記属性ファイルとを取得し、前記属性ファイルに含まれる前記アドレス情報が示す送信先に対して前記画像データを送信するように構成された画像送信システムにおいて、
管理端末をさらに設け、
前記第２のサーバは、前記画像データの送信に関する情報を作成する作成手段と、前記作成手段が作成した前記送信に関する情報を前記第１のサーバに送信する送信手段とを有し、
前記第１のサーバは、前記送信手段から送信されてきた前記送信に関する情報を記憶する記憶手段を有し、
前記管理端末は、前記第１のサーバの前記記憶手段に記憶されている前記送信に関する情報を入手する入手手段と、前記入手手段で入手した前記送信に関する情報を前記画像処理装置に転送する転送手段とを有する
ことを特徴とする画像送信システム。
【請求項３】
前記送信に関する情報は、前記画像ファイルの送信に関する履歴情報である
ことを特徴とする請求項１または２に記載の画像送信システム。
【請求項４】
前記作成手段は、前記画像ファイルの送信完了時に、前記送信に関する情報を作成する
ことを特徴とする請求項１乃至３のいずれか１つに記載の画像送信システム。
【請求項５】
前記入手手段は、前記画像処理装置が前記画像ファイルと前記属性ファイルとを前記第１のサーバに送信してから所定時間の経過後に情報取得処理を実行する
ことを特徴とする請求項１乃至４のいずれか１つに記載の画像送信システム。
【請求項６】
前記送信に関する情報とは、前記第２のサーバで記憶されている、送信先のアドレス情報が登録されたアドレス帳データである
ことを特徴とする請求項１または２に記載の画像送信システム。
【請求項７】
前記画像処理装置は、アドレス帳データを記憶するためのアドレス記憶手段と、該アドレス記憶手段の記憶内容を書き換える書換手段とを備え、
前記書換手段は、前記送信に関する情報として前記第２のサーバから入手したアドレス帳データで前記アドレス記憶手段に記憶されているアドレス帳データを更新する
ことを特徴とする請求項６に記載の画像送信システム。
【請求項８】
前記画像処理装置は、前記アドレス記憶手段に記憶されている前記アドレス帳データの中から画像データの送信先を指定するための送信先指定手段をさらに有する
ことを特徴とする請求項７に記載の画像送信システム。
【請求項９】
前記画像処理装置は、ユーザ認証手段を備え、
前記書換手段は、前記ユーザ認証手段によってユーザが認証された認証状態にあるときは、前記第２のサーバから入手した前記アドレス帳データの中で前記認証されたユーザに関連付けされている送信先のアドレス情報を前記アドレス記憶手段に上書きし、
前記認証されたユーザに対する認証状態が終了したときは、前記アドレス記憶手段に記憶させた前記認証されたユーザに関連付けされている送信先のアドレス情報を消去もしくは使用禁止にする
ことを特徴とする請求項７または８に記載の画像送信システム。
【発明の詳細な説明】
【技術分野】
【０００１】
本発明は、画像データを送信する画像送信システムに係わり、特に、サーバを介して画像データが送信される画像送信システムに関する。
【背景技術】
【０００２】
近年、公衆回線を利用したファクシミリ装置などのように送信端末から受信端末へ画像データを直接送信する代わりに、ネットワーク上にサーバを配置し、該サーバを経由して画像データを受信端末へ送信するようにした画像送信システムが登場している。
【０００３】
従来から使用されている、送信端末から受信端末へ直接送信する通信形態においては、送信の成功／失敗を送信端末側で直接認識することが可能であったが、サーバを介在させるシステムの場合、送信の成否に関する情報を送信者に通知するには、別途の通知経路が必要になる。そこで、たとえば、画像データと共にその送達確認用の電子メールアドレスを送信し、送達確認通知を該電子メールアドレスが示す宛先へ電子メールで通知するようにしたシステムがある（特許文献１参照）。
【０００４】
また、クライアント・サーバ型のファクシミリシステムにおいては、通常、サーバ側に電話帳を登録しておき、該電話帳をクライアント端末から参照して送信先を指定することが行なわれる（たとえば、特許文献２参照。）。
【０００５】
さらに近年は、従来のクライアント・サーバ型のファクシミリシステムのほかに、クライアントとＦＡＸサーバとの間にさらに中間サーバを設けて、セキュリティの向上などを図るようにしたシステムがある。このシステムでは、クライアントは中間サーバに画像ファイルとその送信先情報などを含む属性ファイルとを送信し、ＦＡＸサーバは中間サーバから画像ファイルおよび属性ファイルを取得し、その属性ファイルで指定された送信先へ画像データをファクシミリ送信するようになっている。
【０００６】
【特許文献１】特開２００３−２７１５２７号公報
【特許文献２】特開平７−５８８９８号公報
【発明の開示】
【発明が解決しようとする課題】
【０００７】
中間サーバを介在させるシステムであっても、電子メールを利用すれば、送信の結果などを送信者に通知することができる。しかしながら、電子メールで通知するためには、送信者がパーソナルコンピュータなどを所持して電子メールを受信できる環境にあることを要するので、そのような環境にないユーザには、送信の結果を通知することができなかった。
【０００８】
また、従来のクライアント・サーバ型のファクシミリシステムにおいては、サーバに保存されている電話帳をクライアントから参照して利用できたが、中間サーバを配するシステムの場合、クライアントとＦＡＸサーバとは直接通信しないので、ＦＡＸサーバに保存されている電話帳をクライアントから参照して利用することはできない。このため、送信先のアドレス情報をユーザが覚えておき、送信時にそのアドレス情報を入力するなどの手間を要することとなり、使い勝手がよくないという問題があった。
【０００９】
このように、中間サーバを介在させる場合には、送信結果や電話帳データなどの情報をＦＡＸサーバからクライアントへ提供することが難しく、送信端末から受信端末へ直接画像データを送信する場合と同じような使い勝手、すなわち、送信元の装置において送信結果を直ぐに確認できたり、登録した電話帳を利用して送信先を指定したりするなどの操作性を得ることができないという問題があった。
【００１０】
本発明は、上記の問題を解決しようとするものであり、クライアントとサーバとの間に中間サーバを介在させた場合にも、送信に関する各種の情報をサーバからクライアントへ提供することのできる画像送信システムを提供することを目的としている。
【課題を解決するための手段】
【００１１】
かかる目的を達成するための本発明の要旨とするところは、次の各項の発明に存する。
【００１２】
（１）画像処理装置と、第１のサーバと、第２のサーバとを備え、前記画像処理装置から所望の送信先へ画像データを送信する際に、前記画像データを含む画像ファイルと前記送信先のアドレス情報を含む属性ファイルとを前記第１のサーバに送信し、前記第１のサーバは前記画像処理装置から送信されてきた前記画像ファイルと前記属性ファイルとを記憶し、前記第２のサーバは、前記第１のサーバに記憶されている前記画像ファイルと前記属性ファイルとを取得し、前記属性ファイルに含まれる前記アドレス情報が示す送信先に対して前記画像データを送信するように構成された画像送信システムにおいて、
前記第２のサーバは、前記画像データの送信に関する情報を作成する作成手段と、前記作成手段が作成した前記送信に関する情報を前記第１のサーバに送信する送信手段とを有し、
前記第１のサーバは、前記送信手段から送信されてきた前記送信に関する情報を記憶する記憶手段を有し、
前記画像処理装置は、前記第１のサーバの前記記憶手段に記憶されている前記送信に関する情報を入手する入手手段を有する
ことを特徴とする画像送信システム。
【００１３】
上記発明では、第２のサーバで作成された送信に関する情報は、第２のサーバから第１のサーバへ送信されて第１のサーバに保存され、画像処理装置は該第１のサーバに保存されている送信に関する情報をポーリング受信などで取得する。これにより、第１のサーバ（中間サーバ）を設けた場合でも、第２のサーバで作成された情報を画像処理装置へ提供することができる。送信に関する情報は、第２のサーバ側にあって画像処理装置で利用し得る情報であればなんでもよい。
【００１４】
（２）画像処理装置と、第１のサーバと、第２のサーバとを備え、前記画像処理装置から所望の送信先へ画像データを送信する際に、前記画像データを含む画像ファイルと前記送信先のアドレス情報を含む属性ファイルとを前記第１のサーバに送信し、前記第１のサーバは前記画像処理装置から送信されてきた前記画像ファイルと前記属性ファイルとを記憶し、前記第２のサーバは、前記第１のサーバに記憶されている前記画像ファイルと前記属性ファイルとを取得し、前記属性ファイルに含まれる前記アドレス情報が示す送信先に対して前記画像データを送信するように構成された画像送信システムにおいて、
管理端末をさらに設け、
前記第２のサーバは、前記画像データの送信に関する情報を作成する作成手段と、前記作成手段が作成した前記送信に関する情報を前記第１のサーバに送信する送信手段とを有し、
前記第１のサーバは、前記送信手段から送信されてきた前記送信に関する情報を記憶する記憶手段を有し、
前記管理端末は、前記第１のサーバの前記記憶手段に記憶されている前記送信に関する情報を入手する入手手段と、前記入手手段で入手した前記送信に関する情報を前記画像処理装置に転送する転送手段とを有する
ことを特徴とする画像送信システム。
【００１５】
上記発明では、第２のサーバで作成された送信に関する情報は、第２のサーバから第１のサーバへ送信されて第１のサーバに保存され、管理端末は第１のサーバに保存されている送信に関する情報をポーリング受信などで入手し、該入手した送信に関する情報を画像処理装置に転送する。これにより、第１のサーバ（中間サーバ）を設けた場合でも、第２のサーバで作成された情報を画像処理装置へ提供することができる。
【００１６】
（３）前記送信に関する情報は、前記画像ファイルの送信に関する履歴情報である
ことを特徴とする（１）または（２）に記載の画像送信システム。
【００１７】
上記発明では、送信の実行／未実行、送信の結果など、画像ファイルの送信に関する履歴情報が第２のサーバから第１のサーバを介してもしくは第１のサーバおよび管理端末を介して画像処理装置へ提供される。
【００１８】
（４）前記作成手段は、前記画像ファイルの送信完了時に、前記送信に関する情報を作成する
ことを特徴とする（１）乃至（３）のいずれか１つに記載の画像送信システム。
【００１９】
上記発明では、属性ファイルで指定された送信先への画像ファイルの送信完了時に、その送信の結果を示す情報が生成され、該情報が第２のサーバから、第１のサーバを介してもしくは第１のサーバおよび管理端末を介して、画像処理装置へ提供される。
【００２０】
（５）前記入手手段は、前記画像処理装置が前記画像ファイルと前記属性ファイルとを前記第１のサーバに送信してから所定時間の経過後に情報取得処理を実行する
ことを特徴とする（１）乃至（４）のいずれか１つに記載の画像送信システム
【００２１】
上記発明では、たとえば、第１のサーバを介して第２のサーバへ依頼した画像ファイルの送信を第２のサーバが実行し、その送信に関する情報などが第２のサーバから第１のサーバへ送信された頃に、画像処理装置から情報取得処理が実行されるように所定時間を設定する。
【００２２】
（６）前記送信に関する情報とは、前記第２のサーバで記憶されている、送信先のアドレス情報が登録されたアドレス帳データである
ことを特徴とする（１）または（２）に記載の画像送信システム。
【００２３】
上記発明では、第２のサーバに記憶されているアドレス帳データが第２のサーバから、第１のサーバを介してもしくは第１のサーバおよび管理端末を介して、画像処理装置へ提供される。
【００２４】
（７）前記画像処理装置は、アドレス帳データを記憶するためのアドレス記憶手段と、該アドレス記憶手段の記憶内容を書き換える書換手段とを備え、
前記書換手段は、前記送信に関する情報として前記第２のサーバから入手したアドレス帳データで前記アドレス記憶手段に記憶されているアドレス帳データを更新する
ことを特徴とする（６）に記載の画像送信システム。
【００２５】
上記発明では、アドレス記憶手段の記憶内容は、第２のサーバから入手したアドレス帳データで更新され書き換えられる。
【００２６】
（８）前記画像処理装置は、前記アドレス記憶手段に記憶されている前記アドレス帳データの中から画像データの送信先を指定するための送信先指定手段をさらに有する
ことを特徴とする（７）に記載の画像送信システム。
【００２７】
（９）前記画像処理装置は、ユーザ認証手段を備え、
前記書換手段は、前記ユーザ認証手段によってユーザが認証された認証状態にあるときは、前記第２のサーバから入手した前記アドレス帳データの中で前記認証されたユーザに関連付けされている送信先のアドレス情報を前記アドレス記憶手段に上書きし、
前記認証されたユーザに対する認証状態が終了したときは、前記アドレス記憶手段に記憶させた前記認証されたユーザに関連付けされている送信先のアドレス情報を消去もしくは使用禁止にする
ことを特徴とする（７）または（８）に記載の画像送信システム。
【００２８】
上記発明では、特定のユーザが認証されている状態においては、第２のサーバから入手したアドレス帳データのうち、該認証されたユーザに関連付けされている送信先のアドレス情報が利用可能になる。そして、該認証されたユーザに対する認証状態が終了すると、そのユーザに関連付けされている送信先のアドレス情報は消去等されて使用できなくなる。これにより、使用可能な送信先をユーザ別に管理することができる。
【発明の効果】
【００２９】
本発明に係わる画像送信システムによれば、画像処理装置と第２のサーバとの間に第１のサーバが介在するシステム構成においても、第２のサーバ側に存する送信に関する情報（履歴情報やアドレス帳データなど）を、第２のサーバから画像処理装置へ提供することができるので、第２のサーバと画像処理装置との連携性が高まり、画像処理装置から送信先の端末へ直接画像データを送信する場合と同様の使い勝手を実現することができる。
【発明を実施するための最良の形態】
【００３０】
以下、図面に基づき本発明の各種実施の形態を説明する。
【００３１】
図１は、本発明の第１の実施の形態に係わる画像送信システム８の全体構成を示している。画像送信システム８は、画像処理装置１０と、第１のサーバ３０と、第２のサーバ４０とをネットワーク２を介して接続して構成される。
【００３２】
ネットワーク２は、ＬＡＮ（Local Area Network）やインターネットなどからなる。画像処理装置１０は、画像データを送信する機能を備えた装置であり、ファクシミリ装置のほか、原稿のコピー機能、プリンタ機能、ファクシミリ機能など多様な機能を備えた複合機などが該当する。画像処理装置１０は画像送信システム８に複数台接続されてもよい。
【００３３】
画像送信システム８では、画像処理装置１０から所望の送信先へ画像データを送信する際に、まず、画像データを含む画像ファイル５１と送信先のアドレス情報などを含む属性ファイル５２とを画像処理装置１０から第１のサーバ３０へ送信する（図１、Ｐ１）。第１のサーバ３０は画像処理装置１０から送信されてきた画像ファイル５１と属性ファイル５２とを記憶し、第２のサーバ４０は第１のサーバ３０に記憶されている画像ファイル５１と属性ファイル５２とを取得する（Ｐ２）。そして、第２のサーバ４０は第１のサーバ３０から入手した画像ファイル５１に含まれる画像データを、対応する属性ファイル５２が示す送信先端末３に対して送信（Ｐ３）するようになっている。なお、第２のサーバ４０が画像データを送信する際に使用する通信プロトコルによっては、画像ファイルの形態で画像データを送信しても構わない。
【００３４】
第１のサーバ３０は、画像処理装置１０と第２のサーバ４０との中間に配置され、画像処理装置１０と第２のサーバ４０との間で受け渡しされるデータを途中で一時保管するためのサーバであり、一時保管するデータを記憶するための記憶手段３１を備えている。第１のサーバ３０は、たとえば、ＦＴＰ（File Transfer Protocol）サーバであり、記憶手段３１としての大容量不揮発記憶装置（ハードディスク装置など）や通信機能を備えたコンピュータ装置で構成される。
【００３５】
第２のサーバ４０は、送信依頼を受けた画像ファイル５１（画像データ）を各種のファクシミリ手順（ＩＴＵ−Ｔ（International Telecommunication Union-Telecommunication sector）で規定するＴ.３０やＴ.３７など）や、インターネット（Ｔ.３８）を使用して、送信先端末３へ配信する機能を備えた装置（所謂、ＦＡＸサーバ）である。
【００３６】
第２のサーバ４０は、依頼された画像データの送信状況や送信結果等の履歴情報を含む履歴ファイル５３を作成したり、送信先のアドレス情報がまとめて登録されたアドレス帳データをアドレス帳ファイル５４にファイル化する処理などを行なう作成手段４１の機能を有する。また、作成手段４１で作成された履歴ファイル５３やアドレス帳ファイル５４などの画像データの送信に関する情報を第１のサーバ３０へ送信する送信手段４２としての機能を備えている。
【００３７】
画像送信システム８では、履歴ファイル５３やアドレス帳ファイル５４を第２のサーバ４０から第１のサーバ３０に送信して記憶しておき（Ｐ５）、画像処理装置１０がこれらのファイルル５３、５４を第１のサーバ３０から取得して入手（Ｐ６）することにより、第２のサーバ４０から画像処理装置１０へ各種の情報を受け渡すようになっている。
【００３８】
図２は、画像処理装置１０の電気的構成を示している。画像処理装置１０は、ＣＰＵ（Central Processing Unit）１１と、ＲＯＭ（Read Only Memory）１２と、ＲＡＭ（Random Access Memory）１３と、操作表示部１４と、アドレス記憶手段１５と、読取部１６と、画像形成部１７と、通信部１８と、記憶部１９と、画像処理部２１とをバス２２に接続して構成される。
【００３９】
ＣＰＵ１１は、当該画像処理装置１０の動作を統括制御する機能を果たす。ＲＯＭ１２は、各種プログラムが予め記憶された読み出し専用のメモリである。ＲＡＭ１３は、ＣＰＵ１１がＲＯＭ１２に格納されたプログラムを実行する際に各種のデータを一時格納するワークメモリや画像データを記憶する画像メモリとして使用される。
【００４０】
操作表示部１４は、液晶ディスプレイなどの表示装置と、液晶ディスプレイの画面上に敷設されたタッチパネルや操作スイッチなどで構成されており、設定画面、操作画面などユーザインターフェイス用の各種画面を表示したり、ユーザから各種の操作を受け付けたりする機能を果たす。また、画像データの送信先となる送信先端末３を指定するための送信先指定手段１４ａとしても機能する。
【００４１】
アドレス記憶手段１５は、アドレス帳データを記憶するための不揮発メモリである。アドレス帳データに登録されるアドレス情報には、たとえば、送信先毎にその送信先の名称、通信方式（Ｔ.３０かＴ.３７かなど）、電話番号・ＩＰアドレス・電子メールアドレスなどの宛先情報、当該アドレス情報の登録ユーザ名や使用許可区分（誰でも使用できるか特定のユーザのみ使用可能かなど）が登録される。
【００４２】
読取部１６は、原稿画像を光学的に読み取って対応する画像データを出力する機能を果たす。読取部１６は、ラインイメージセンサなどで構成される。
【００４３】
画像形成部１７は、画像データに応じた画像を記録紙上に形成する機能を果たす。ここでは、記録紙の搬送装置と、感光体ドラムと、帯電装置と、レーザーユニットと、現像装置と、転写分離装置と、クリーニング装置と、定着装置とを有する、電子写真プロセスを用いたレーザープリンタとして構成されている。
【００４４】
通信部１８は、ネットワーク２を通じて第１のサーバ３０やその他の外部装置と各種のデータを送受信する機能を果たす。
【００４５】
記憶部１９は、読取部１６で読み取って得た画像データなどを保存する記憶装置であり、たとえば、ハードディスク装置などの大容量・不揮発の記憶装置が使用される。
【００４６】
画像処理部２１は、画像データに拡大、縮小、回転、圧縮・伸張などの各種の処理を施す機能を果たす。
【００４７】
ＣＰＵ１１は、ＲＯＭ１２に格納されている所定のプログラムを実行することで、入手手段１１ａ、ユーザ認証手段１１ｂ、書換手段１１ｃとしての機能を果たす。
【００４８】
入手手段１１ａは、通信部１８を制御することにより、第１のサーバ３０の記憶手段３１に記憶されている送信に関する情報（履歴ファイル５３やアドレス帳ファイル５４など）を取得して入手する機能を果たす。
【００４９】
ユーザ認証手段１１ｂは、画像処理装置１０を操作しようとするユーザの使用権を認証する機能を果たす。ここでは、ユーザ名とパスワードとの入力を求め、これらを予め登録してある認証データと照合することでユーザの認証とユーザの特定を行なうようになっている。ユーザ認証は、画像処理装置１０の内部で認証処理を行なうほか、外部の認証サーバに問い合わせて行なってもかまわない。
【００５０】
書換手段１１ｃは、アドレス記憶手段１５の記憶内容を、第１のサーバ３０から入手したアドレス帳ファイル５４で更新したり、消去したりする機能を果たす。
【００５１】
次に、画像送信システム８の各部が行なう処理の流れについて説明する。
【００５２】
図３は、画像データを送信する際に画像処理装置１０が行なう処理の流れを示している。読取部１６に原稿がセットされると、画像処理装置１０は原稿の送信に関する各種設定を行なうための設定画面を操作表示部１４に表示し(ステップＳ１０１)、ユーザから各種の設定を受け付ける（ステップＳ１０２）。設定内容としては、たとえば、送信先、使用する第１のサーバ３０の指定（第１のサーバ３０が複数存在する場合）、読み取りや送信の解像度、課金設定、読み込み方式、各種応用機能などがある。
【００５３】
その後、スタートボタンが押下されると（ステップＳ１０３）、上記設定に従ってジョブを投入する（ステップＳ１０４）。これより、原稿画像の読み取り動作が開始される。画像処理装置１０は、読み取った画像データをファイル化した画像ファイル５１と、先の設定内容を記した属性ファイル５２とを作成し（ステップＳ１０５）、これらのファイル５１、５２を第１のサーバ３０へ送信して（ステップＳ１０６）処理を終了する（エンド）。
【００５４】
属性ファイル５２には、上記設定内容の中の少なくとも送信先のアドレス情報が含まれる。上記設定内容のすべてを属性ファイル５２に含めてもよい。なお、属性ファイル５２と画像ファイル５１とを関連付けするための情報（属性ファイル５２のファイル名など）や画像ファイル５１のファイル形式、画像処理装置１０のメーカーや機種を示す情報などを属性ファイル５２に含めてもよい。
【００５５】
図４は、第２のサーバ４０が行なう処理の流れを示している。第２のサーバ４０は、設定された時刻あるいは設定された周期時間毎に第１のサーバ３０をポーリングし（ステップＳ２０１）、画像ファイル５１とこれに関連付けされた属性ファイル５２との両方が揃っている場合に（ステップＳ２０２；Ｙ）、その画像ファイル５１と属性ファイル５２とを第１のサーバ３０から取得する(ステップＳ２０３)。なお、ポーリング受信のタイミングについては上記のような設定に基づくもの以外に、ユーザによる任意のタイミングのファイル取得指示に基づくものであってもよい。
【００５６】
なお、第２のサーバ４０が入手した画像ファイル５１および属性ファイル５２は第１のサーバ３０の記憶手段３１から消去される。また、属性ファイル５２は、送信元の画像処理装置１０のメーカーや機種などの違いによりデータ形式が種々になるので、第２のサーバ４０が理解可能な所定の共通データ形式に変換されて第２のサーバ４０にポーリング受信されるようになっている。
【００５７】
第２のサーバ４０は第１のサーバ３０から入手した属性ファイル５２を解析して、画像ファイル５１に含まれる画像データの解像度や送信先などを認識し（ステップＳ２０４）、該当する送信先端末３へ画像ファイル５１の画像データを送信する（ステップＳ２０５）。送信は、送信先端末３が利用可能な通信方式（たとえば、Ｔ.３０やＴ.３７など）に応じて公衆回線やネットワーク、ＬＡＮなどを通じて行なわれる。
【００５８】
画像データの送信が終了すると、第２のサーバ４０はその送信結果を示す履歴ファイル５３を作成し、第１のサーバ３０へ送信して記憶させ（ステップＳ２０６）処理を終了する（エンド）。履歴ファイル５３には、送信の識別情報、送信の成否、送信開始時刻、送信完了時刻、送信先、ページ数を示す情報などが含まれる。
【００５９】
なお、画像データの送信に関する履歴情報を含む履歴ファイル５３は、送信終了時に作成されるだけではなく、第２のファイルサーバ４０が第１のファイルサーバ３０から画像ファイル５１を入手した時点で作成しても良い。このタイミングで履歴情報を管理し、画像データが送信待ちであることや相手先がビジーのため送信が完了しなかったことなどを示す履歴情報にて、履歴ファイル５３の履歴情報を随時更新することにより、送信画像に関する状況の把握が可能になる。
【００６０】
第１のサーバ３０の記憶手段３１には、たとえば、送信の依頼元である画像処理装置１０毎（ＩＰ（Internet Protocol）アドレス毎など）にフォルダが設けてあり、今回の送信の依頼元の画像処理装置１０に対応するフォルダに履歴ファイル５３を保存するようになっている。
【００６１】
図５は、履歴ファイル５３を第１のサーバ３０から取得する際の画像処理装置１０の動作を示している。図３に示す送信処理を実行（ステップＳ１０１〜Ｓ１０６）後、所定時間が経過すると（ステップＳ１２１；Ｙ）、画像処理装置１０は第１のサーバ３０へアクセス（ポーリング）し、該画像処理装置１０から第１のサーバ３０へ送信した画像ファイル５１および属性ファイル５２に対応する履歴ファイル５３が記憶手段３１に存在するか否かを調べる(ステップＳ１２２)。たとえば、当該画像処理装置１０専用に用意されたフォルダ内を調べる。存在しない場合は(ステップＳ１２２；Ｎ)、所定時間の経過後などに再び上記の確認処理を実行する。
【００６２】
所定時間は、たとえば、第１のサーバ３０を介して第２のサーバ４０へ依頼した画像データの送信を第２のサーバ４０が実行し、その送信結果の履歴ファイル５３が第２のサーバ４０により作成されて第１のサーバ３０へ送信され記憶されるまでの所要時間、あるいはこれにある程度の余裕時間を加えた時間に設定される。
【００６３】
また、所定時間の経過後に第１のサーバ３０を確認した際に、該当する履歴ファイル５３が存在しない場合は、次回の確認を行なうまでの所定時間を当初の所定時間より短くしたり、確認回数が進むにつれて、所定時間を長くしたりするなど、状況に応じて所定時間を変動させてもよい。また、ポーリング受信のタイミングについては上記のような所定時間の経過後に行なわれるだけではなく、ユーザによる任意のタイミングのファイル獲得指示に基づくものであってもよい。
【００６４】
なお、送信先がビジーの場合に第２のサーバ４０によって再送信（リダイアル）が行なわれることを考慮し、画像処理装置１０から第１のサーバ３０への情報取得を定期的に実施するように構成してもよい。また、即時送信やタイマー送信による送信実行から所定時間の経過後に確認動作を実行することと、上記の定期的なタイミングでの確認動作の実行とを組み合わせてもよい。
【００６５】
該当する履歴ファイル５３が第１のサーバ３０に存在する場合は（ステップＳ１２２；Ｙ）、その履歴ファイル５３を第１のサーバ３０から入手し（ステップＳ１２３）、その内容を解析する（ステップＳ１２４）。履歴ファイル５３は、たとえば、ＸＭＬ（eXtensible Markup Language）形式で作成される。履歴ファイル５３を解析して得た送信結果に係わる情報を画像処理装置１０内の送信／受信履歴情報として登録（追加登録）して(ステップＳ１２５)処理を終了する（エンド）。なお、第１のサーバ３０から画像処理装置１０に情報取得された履歴ファイル５３は第１のサーバ３０の記憶手段３１から消去される。
【００６６】
上記のような動作により、画像処理装置１０は送信結果を操作表示部１４に表示したり、通信レポートとして印刷出力したりすることが可能になり、ユーザは、第１のサーバ３０および第２のサーバ４０を介して画像データを送信した場合の送信結果を、通常のファクシミリ送信（公衆回線を利用したＧ３方式など）の場合と同様にして確認することができる。
【００６７】
すなわち、電子メールで送信結果を通知する場合と異なり、ユーザは、別途、パーソナルコンピュータなど電子メールを受信可能な環境を必要とせず、送信ジョブを投入した画像処理装置１０においてその送信ジョブの結果を確認することができる。
【００６８】
また、画像送信システム８では、第１のサーバ３０を介在させているので、セキュリティレベルの異なる第２のサーバ４０や画像処理装置１０であっても、直接通信を行なう必要がなく、中間の第１のサーバ３０を利用することにより、各画像処理装置１０は暗号化して、第１のサーバ３０にデータを送信することができる。また、第２のサーバ４０は、設定された時間に従い、第１のサーバ３０に対して情報を取得するというアクセス形態を取っているので、異常ファイルのチェックが十分に可能であり、高いセキュリティレベルを実現することができる。第１のサーバ３０と第２のサーバ４０との間の通信や、画像処理装置１０と第１のサーバ３０との間の通信をＳＳＬ（Secure Sockets Layer）などで暗号化して行なうようにすれば、セキュリティの向上に有効である。
【００６９】
画像送信システム８には、複数の画像処理装置１０（異なるメーカーや機種でもよい）および複数の第２のサーバ４０（異なるメーカーや機種でもよい）を接続することができ、このような場合に、中間に介在する第１のサーバ３０は、システムが複雑になるのを回避し、混乱なく情報のやり取りを行なうための、いわば交通整理（調停）の役割を果たしている。
【００７０】
次に、アドレス帳データの受け渡しについて説明する。
【００７１】
送信先のアドレス情報はアドレス帳データとして第２のサーバ４０に登録され記憶される。第２のサーバ４０へのアドレス帳データの登録や更新は、たとえば、システムの管理者により行なわれる。第２のサーバ４０は、アドレス帳データの登録や更新が行なわれると、作成手段４１によりその新たなアドレス帳データをアドレス帳ファイル５４としてファイル化し、これを送信手段４２により第１のサーバ３０へ送信して記憶させる。
【００７２】
図６は、アドレス帳データの受け渡しに関連する画像処理装置１０の動作を示している。画像処理装置１０を使用するにあたって、まず、ユーザ認証が行なわれる（ステップＳ３０１）。ユーザ認証に成功すると、画像処理装置１０は第１のサーバ３０にアクセスし、記憶手段３１に記憶されているアドレス帳ファイル５４をポーリング受信により入手する(ステップＳ３０２)。そして入手したアドレス帳ファイル５４を解析し（ステップＳ３０３）、入手したアドレス帳ファイル５４に登録されているアドレス情報の中に、認証されたユーザに関連付けされているアドレス情報（登録ユーザ名が認証ユーザのユーザ名と同じものなど）が存在するか否かを調べる（ステップＳ３０４）。
【００７３】
入手したアドレス帳ファイル５４の中に、認証されたユーザに関連付けされたアドレス情報が存在する場合は（ステップＳ３０４；Ｙ）、書換手段１１ｃは、該認証されたユーザに関連付けされているアドレス情報を抽出し、これをアドレス帳データとしてアドレス記憶手段１５に保存する（ステップＳ３０５）。ここでは、アドレス記憶手段１５にアドレス帳データを上書きで保存している。
【００７４】
図７は、認証されたユーザのアドレス情報が抽出されてアドレス記憶手段１５へ上書き保存される様子の一例を示している。第１のサーバ３０からポーリング受信によって入手したアドレス帳ファイル５４ａには、ユーザＡに関連付けされたアドレス情報（Ａ１〜Ａ４）、ユーザＢに関連付けされたアドレス情報（Ｂ１〜Ｂ３）など、多数のユーザＡ〜Ｅのアドレス情報が登録されている。この中から現在ユーザ認証されているユーザＡに関連するアドレス情報（Ａ１〜Ａ４）だけが抽出され、これらのアドレス情報Ａ１〜Ａ４をアドレス帳の登録番号「１」〜「４」に登録し、登録番号「５」以降の登録がないことを示す「エンド」情報を設定したアドレス帳データ１５ａが作成されてアドレス記憶手段１５に上書きされる。
【００７５】
このようにしてアドレス記憶手段１５に、認証状態下にあるユーザＡに関連するアドレス帳データが登録されると、登録されたアドレス帳データの中から送信先を選択することが可能になる。図８（ａ）は、送信先を指定するための送信先指定画面６０の一例６０ａであり、送信先の指定方法として、アドレス帳を選択した状態を示している。このとき、宛先表示エリア６１に、アドレス記憶手段１５に登録されているアドレス帳データに応じた送信先選択釦６２が表示される。表示された送信先選択釦６２を押下することで送信先を指定することができる。
【００７６】
送信先を指定した後、スタートボタンを押下すると図３と同様の送信処理が実行される（図６、ステップＳ３０６）。認証状態が継続している間は、アドレス帳から送信先を選択して、次々と送信ジョブを投入することができる（ステップＳ３０７；Ｎ）。
【００７７】
ユーザがログアウトなどして該ユーザの認証状態が終了すると（ステップＳ３０７；Ｙ）、アドレス記憶手段１５に登録してあるアドレス帳データを削除して（ステップＳ３０８）処理を終了する（エンド）。このように、ユーザが認証された状態にある期間だけ、その認証されたユーザに関連付けされたアドレス情報がアドレス記憶手段１５に登録されて利用可能になるので、他のユーザに自己のアドレス帳を参照されたり、利用されたりすることがなくなり、ユーザ別の利用環境が実現される。
【００７８】
第１のサーバ３０から入手したアドレス帳ファイル５４の中に、認証されたユーザに関連付けされたアドレス情報が存在しないときは(ステップＳ３０４；Ｎ)、アドレス記憶手段１５にはアドレス帳データが登録されず、ユーザはアドレス帳を利用して送信先を選択することができなくなる。図８（ｂ）は、上記の場合の送信先指定画面６０ｂを示している。宛先表示エリア６１に送信先選択釦６２は表示されない。
【００７９】
この場合、ユーザは自分に関連するアドレス帳を利用することはできないが、他の方法、たとえば、送信先のアドレスを直接入力欄６３に入力することで、送信先を指定して送信処理を実行することができる（図６、ステップＳ３０９）。
【００８０】
図９は、だれでも使用可能なアドレス情報が共用のアドレス帳ファイル５４ｂに登録されている場合のアドレス記憶手段１５へのアドレス帳データ１５ｂ、１５ｃ登録状況を示し、図１０は、図９に対応する送信先指定画面６０ｃ、６０ｄを示している。図９（ａ）、図９（ｂ）においてアドレス情報（Ｐ１〜Ｐ４）はだれでも使用可能なパブリックのアドレス情報である。
【００８１】
図９（ａ）は、認証されているユーザＡに関連付けされたアドレス情報がアドレス帳ファイル５４ｂに登録されている場合を、図９（ｂ）は、認証されているユーザに関連付けされたアドレス情報がアドレス帳ファイル５４ｂに登録されていない場合を例示している。ユーザＡが認証されている場合は、同図（ａ）に示すように、ユーザＡのアドレス情報（Ａ１〜Ａ４）とパブリックのアドレス情報（Ｐ１〜Ｐ４）とが抽出され、これらを順に登録したアドレス帳データ１５ｂが作成され、アドレス記憶手段１５に上書きで記憶される。図１０（ａ）は、このときの送信先指定画面６０ｃを例示したものであり、ユーザＡに関連付けされた送信先の送信先選択釦６２ａとパブリックの送信先に対応する送信先選択釦６２ｂとが表示されている。本例のように、ユーザＡに関連付けされたアドレス情報とパブリックのアドレス情報とが区別して表示されていると利便性が向上する。
【００８２】
図９（ｂ）に示すように、認証されているユーザに関連付けされたアドレス情報がアドレス帳ファイル５４ｂに登録されていない場合は、パブリックのアドレス情報（Ｐ１〜Ｐ４）のみが抽出されたアドレス帳データ１５ｃが作成されてアドレス記憶手段１５に上書きで登録される。図１０（ｂ）は、このときの送信先指定画面６０ｄを例示したものであり、パブリックの送信先に対応する送信先選択釦６２ｂのみが宛先表示エリア６１に表示されている。
【００８３】
なお、ユーザ認証を行なわない構成においては、アドレス帳ファイル５４に登録されているすべてのアドレス情報をアドレス記憶手段１５に登録するように構成してもよい。また、パブリックのユーザとしてログインできる場合は、図９（ｂ）図１０（ｂ）と同様にパブリックのアドレス情報（Ｐ１〜Ｐ４）のみを抽出したアドレス帳データ１５ｃが作成されるように構成してもよい。
【００８４】
次に、本発明の第２の実施の形態について説明する。
【００８５】
図１１は、本発明の第２の実施の形態に係わる画像送信システム７０を示している。図１に示す画像送信システム８と同一部分には同一の符号を付してある。画像送信システム７０は、図１に示す画像送信システム８に対して管理端末７１をさらにネットワーク２に接続して構成される。
【００８６】
第１の実施の形態では、履歴ファイル５３やアドレス帳ファイル５４を画像処理装置１０が第１のサーバ３０に情報の有無を確認してから、その情報を取得するようにしたが、第２の実施の形態では管理端末７１の入手手段７１ａが第１のサーバ３０に情報の有無を確認してから、その情報を取得して履歴ファイル５３やアドレス帳ファイル５４を入手し（Ｐ８）、これらを画像送信システム７０の転送手段７１ｂが画像処理装置１０へ転送（Ｐ９）するようになっている。
【００８７】
画像ファイル５１および属性ファイル５２の送信に関する動作（Ｐ１〜Ｐ３、図３、図４の処理）および第２のサーバ４０が第１のサーバ３０へ履歴ファイル５３やアドレス帳ファイル５４を送信して記憶させる処理（Ｐ５）については第１の実施の形態と同様である。
【００８８】
管理端末７１は第１のサーバ３０を定期的に情報を確認して履歴ファイル５３やアドレス帳ファイル５４の存否や更新の有無をチェックし、新たな履歴ファイル５３や更新されたアドレス帳ファイル５４が存在するときはそれらを取得して入手し、該当する画像処理装置１０へ転送する。なお、管理端末７１は、第１のサーバ３０から入手した履歴ファイル５３やアドレス帳ファイル５４を画像処理装置１０へ転送する際に、ファイル形式やデータ形式を画像処理装置１０に適合させたものに変換してもよい。
【００８９】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９０】
たとえば、第１のサーバ３０と第２のサーバ４０とは独立のサーバとして構成しなくてもよく、第１のサーバ３０を第２のサーバ４０が有する一時保存用のフォルダやディレクトリとして構成してもよい。
【００９１】
実施の形態では、第２のサーバ４０から第１のサーバ３０を介して画像処理装置１０に提供する情報として履歴ファイル５３とアドレス帳ファイル５４を例示したが、第２のサーバ４０に存在しかつ画像処理装置１０にとって有用な情報であれば、他の種類の情報であってもかまわない。
【００９２】
また、画像処理装置１０から要求された場合には、送信結果を、プリントファイルとして第２のサーバ４０から第１のサーバ３０へ送信し、画像処理装置１０が第１のサーバ３０を定期的にポーリングして該プリントファイルを入手し、画像処理装置１０側で送信結果を印刷出力するように構成してもよいし、画像処理装置１０からの要求に応じて、指定の宛先へ電子メールで送信結果を通知するように構成してもよい。
【００９３】
このほか、実施の形態ではアドレス記憶手段１５にアドレス帳データ１５ａ〜１５ｃを上書き保存するようにしたが、以前のアドレス帳データが使用不能になれば、必ずしも更新しなくてもかまわない。また、ユーザ認証された状態が終了したとき、アドレス帳データ１５ａ〜１５ｃをアドレス記憶手段１５から消去するようにしたが、消去以外の方法でも、記憶されていたアドレス帳データ１５ａ〜１５ｃを使用できない状態になればよい。
【００９４】
また、第１の実施の形態と第２の実施の形態とを組み合わせたシステム構成としてもよい。すなわち、第１のサーバにある情報を画像処理装置１０が第１のサーバをポーリングして入手する方法と、第１のサーバにある情報を管理端末７０経由で画像処理装置１０が入手する方法の双方が可能なように構成されてもよい。
【図面の簡単な説明】
【００９５】
【図１】本発明の第１の実施の形態に係わる画像送信システムのシステム構成を示す説明図である。
【図２】本発明の第１の実施の形態に係わる画像送信システムに含まれる画像処理装置の概略構成を示すブロック図である。
【図３】画像データを送信する際に画像処理装置が行なう送信処理の流れ図である。
【図４】第２のサーバが行なう処理を示す流れ図である。
【図５】履歴ファイルを第１のサーバから情報を取得する際の画像処理装置の動作を示す流れ図である。
【図６】アドレス帳データの受け渡しに関連する画像処理装置の動作を示す流れ図である。
【図７】認証されたユーザのアドレス情報が抽出されてアドレス記憶手段へ上書き保存される様子の一例を示す説明図である。
【図８】アドレス帳に登録された送信先に対応する送信先選択釦を表示する送信先指定画面を例示する正面図である。
【図９】アドレス帳ファイルにパブリックの送信先が登録されている場合におけるアドレス情報の抽出状況を例示した説明図である。
【図１０】パブリックの送信先が存する場合における送信先指定画面を示す正面図である。
【図１１】本発明の第２の実施の形態に係わる画像送信システムのシステム構成を示す説明図である。
【符号の説明】
【００９６】
２…ネットワーク
３…送信先端末
８…画像送信システム
１０…画像処理装置
１１…ＣＰＵ
１１ａ…入手手段
１１ｂ…ユーザ認証手段
１１ｃ…書換手段
１２…ＲＯＭ
１３…ＲＡＭ
１４…操作表示部
１４ａ…送信先指定手段
１５…アドレス記憶手段
１５ａ、１５ｂ、１５ｃ…アドレス記憶手段に記憶されるアドレス帳データ
１６…読取部
１７…画像形成部
１８…通信部
１９…記憶部
２１…画像処理部
２２…バス
３０…第１のサーバ（中間サーバ）
３１…記憶手段
４０…第２のサーバ（ＦＡＸサーバ）
４１…作成手段
４２…送信手段
５１…画像ファイル
５２…属性ファイル
５３…履歴ファイル
５４…アドレス帳ファイル
６０…送信先指定画面
６１…宛先表示エリア
６２…送信先選択釦
６３…直接入力欄
７０…画像送信システム
７１…管理端末
７１ａ…入手手段
７１ｂ…転送手段
【図１】
2007312335.tif 000003
【図２】
2007312335.tif 000004
【図３】
2007312335.tif 000005
【図４】
2007312335.tif 000006
【図５】
2007312335.tif 000007
【図６】
2007312335.tif 000008
【図７】
2007312335.tif 000009
【図８】
2007312335.tif 000010
【図９】
2007312335.tif 000011
【図１０】
2007312335.tif 000012
【図１１】
2007312335.tif 000013